(57)【特許請求の範囲】
【請求項１】
ガスメータ及びその入・出側配管を建屋壁等に設置するためのガスメータ吊架ユニットであって；
横方向に延びる横断部材、及び、この横断部材の左下及び右下に垂下する脚部材からなるπ字形の基本部材（π字部材）と、
該π字部材を建屋壁等に固定するための固定金具と、を備え；
上記π字部材の横断部材の左右の端部と該端部寄りの脚部との間には、該端部及び該脚部の端面に開口する連通路が形成されているとともに、左右各々の連通路は相互には遮断されており、
該横断部材の一端にガス栓、他端に試験口が接続されており、
ガス栓寄りの脚部下端にガスメータ入口接続用継手、試験口寄りの脚部下端にはガスメータ出口接続用継手が接続され、
上記ガス栓内で、ガス流路は上向きから横向きに９０°偏向することを特徴とするガスメータ吊架ユニット。
【請求項２】
上記試験口が上記横断部材の一端に一体に形成されている請求項１記載のガスメータ吊架ユニット。
【請求項３】
上記ガスメータ入口・出口接続用継手がユニオンを備え、該ユニオンが、ユニオンナット脱落防止用のスナップリング式のストップリングを有する請求項１又は２記載のガスメータ吊架ユニット。
【発明の詳細な説明】
【０００１】
【発明の属する技術分野】
本発明は、都市ガス等のガスメータを建屋壁等に取り付けるためのガスメータ吊架ユニットに関する。特には、ガスメータの取り付けスペースを小さくすることができるとともに、取り付け作業を簡易化できるガスメータ吊架ユニットに関する。
【０００２】
【従来の技術】
標準的な都市ガスのガスメータを例に採って従来技術を説明する。
図６は、都市ガスのガスメータの標準的な設置例を示す図である。（Ａ）は正面図、（Ｂ）は側面図である。
【０００３】
図６において、ガスメータ２０７は、入側接続管２８１と出側接続管２９１とに吊り下がる格好で設置されている。各接続管２８１及び２９１は、配管サポート２９７ａ、２９７ｂによって、建屋壁２０２に固定されている。各接続管２８１及び２９１は、ガスメータ２０７上で１８０°曲がって、下向きにガスメータ２０７と接続されている。各接続管２８１及び２９１とガスメータ２０７の入出口との間は、ユニオン２１３、２２７が設けられている。入側接続管２８１には、ガスメータ２０７の下方に、ガス開閉の元弁であるガス栓２１３が設置されている。出側接続管２９１には、ガスメータ２０７の下方に、試験口２３５が設置されている。試験口２３５は、配管の側方に小さいネジ付き開口（普段はプラグで閉じられている）を有しており、エアパージや試験用圧力計の取り付け口として利用される。なお、ガス栓２１３の下にはガス供給元管２０５が接続されている。試験口２３５の下には、ガス需要先につながるフレキ管２０９が接続されている。
【０００４】
【発明が解決しようとする課題】
上述の従来のガスメータの設置の仕方には以下の問題点があった。
▲１▼  必要とされる設置スペースが広かった。特に、ガスメータ２０７の裏側に接続管２８１、２９１が通っており、さらにその配管サポート２９７も存在するため、それらの分だけガスメータ２０７が前方に突出するので、奥行き方向の設置スペース寸法が大きくなっていた。
【０００５】
▲２▼  ガスメータの設置工数が多かった。すなわち、配管サポート２９７の取り付け、入側及び出側の接続管２８１、２９１やガス栓２１３、試験口２３５の取り付けに手間がかかっていた。
【０００６】
本発明は、都市ガス等のガスメータを建屋壁等に取り付けるためのガスメータ吊架ユニットであって、ガスメータの取り付けスペースを小さくすることができるとともに、取り付け作業を簡易化できるガスメータ吊架ユニットを提供することを目的とする。さらには、それらの利点を備えるとともに安価で見栄えの良いガスメータ吊架ユニットを提供することを目的とする。
【０００７】
【課題を解決するための手段】
本発明に関連するガスメータ吊架ユニットは、  ガスメータ及びその入・出側配管を建屋壁等に設置するためのガスメータ吊架ユニットであって；  接続部が下方に向いたガスメータ入口接続用継手、並びに、この継手の側方外側に接続されている、入側配管との接続口を有するガス栓、を含む入側部と、  接続部が下方に向いたガスメータ出口接続用継手、並びに、この継手の側方外側に接続されている、出側配管との接続口及び試験口を含む出側部と、  該入側部及び出側部を建屋壁等に固定するための固定金具と、を備えることを特徴とする。
さらに、該入側部、出側部及び固定金具を覆うカバーを具備することが好ましい。
【０００８】
すなわち、ガス栓及び試験口を含むガスメータの入・出側配管をユニット化し、ガスメータの上部にまとめて建屋壁等に取り付けられるようにした。そのため、設置スペースが小さく、かつ施工工数を低減できた。カバーは、防塵、美感向上、内部部材表面処理の簡略化等の作用をなす。
【０００９】
本発明に関連する他のガスメータ吊架ユニットは、  ガスメータ及びその入・出側配管を建屋壁等に設置するためのガスメータ吊架ユニットであって；  接続部が下方に向いたガスメータ入口接続用継手、並びに、この継手の側方外側に接続されている、入側配管との接続口を有するガス栓、を含む入側部と、  接続部が下方に向いたガスメータ出口接続用継手、並びに、この継手の側方外側に接続されている、出側配管との接続口及び試験口を含む出側部と、  該入側部及び出側部を建屋壁等に固定するための固定金具と、を備え；  該接続部がユニオンを備え、  該ユニオンが、ユニオンナット脱落防止用のスナップリング式のストップリングを有することを特徴とする。
【００１０】
ユニオンナットをユニオン部にはめ込んだ後に、ストップリングをスナップリング式にユニオン部に取り付けることにより、ユニオンナットの脱落を防止できる。これと異なり、ユニオンナットを配管の反ユニオン側から入れようとすると、配管を分割せざるをえず、配管部品の加工工数及び組立工数が増加するが、このようにすれば加工工数及び組立工数を低減することができる。
【００１１】
本発明に関連する他のガスメータ吊架ユニットは、  ガスメータ及びその入・出側配管を建屋壁等に設置するためのガスメータ吊架ユニットであって；  接続部が下方に向いたガスメータ入口接続用継手、並びに、この継手の側方外側に接続されている、入側配管との接続口を有するガス栓、を含む入側部と、  接続部が下方に向いたガスメータ出口接続用継手、並びに、この継手の側方外側に接続されている、出側配管との接続口及び試験口を含む出側部と、  該入側部及び出側部を建屋壁等に固定するための固定金具と、を備え；  該入側部が、ガスメータ入口接続用継手とガス栓とを結ぶ９０°エルボ状の管部材を有し、該管部材のガス栓側がフランジ継手を、該管部材のガスメータ側がユニオンを有することを特徴とする。
フランジは各種継手の中では通常最も薄くすることができるので、ガスメータ吊架ユニット全体の横幅を狭くできる。
【００１２】
本発明に関連する他のガスメータ吊架ユニットは、ガスメータ及びその入・出側配管を建屋壁等に設置するためのガスメータ吊架ユニットであって；  接続部が下方に向いたガスメータ入口接続用継手、並びに、この継手の側方外側に接続されている、入側配管との接続口を有するガス栓、を含む入側部と、  接続部が下方に向いたガスメータ出口接続用継手、並びに、この継手の側方外側に接続されている、出側配管との接続口及び試験口を含む出側部と、  該入側部及び出側部を建屋壁等に固定するための固定金具と、を備え；  該出側部が、ガスメータ出口接続用継手と試験口とを結ぶ９０°エルボ状の管部材を有し、該管部材が試験口と一体物であることを特徴とする。
試験口を別途のチィー（プラグ付き）とするよりもガスメータ吊架ユニットを小型化できる。また、継手の接続箇所を減らし、さらに組立工数の低減を図ることができる。
【００１３】
本発明のガスメータ吊架ユニットは、  ガスメータ及びその入・出側配管を建屋壁等に設置するためのガスメータ吊架ユニットであって；
横方向に延びる横断部材、及び、この横断部材の左下及び右下に垂下する脚部材からなるπ字形の基本部材（π字部材）と、  該π字部材を建屋壁等に固定するための固定金具と、を備え；  上記π字部材の横断部材の左右の端部と該端部寄りの脚部との間には、該端部及び該脚部の端面に開口する連通路が形成されているとともに、左右各々の連通路は相互には遮断されており、  該横断部材の一端にガス栓、他端に試験口が接続されており、  ガス栓寄りの脚部下端にガスメータ入口接続用継手、試験口寄りの脚部下端にはガスメータ出口接続用継手が接続さ、上記ガス栓内で、ガス流路は上向きから横向きに９０°偏向することを特徴とする。
π字部材によってガスメータ吊架ユニットの構造を強固かつ単純な形にすることができ、組立工数の低減等を図れる。また、外観上もすっきりしたものとなる。
【００１４】
【発明の実施の形態】
以下、図面を参照しつつより具体的に説明する。
図１は、本発明の１実施例に係るガスメータ吊架ユニットの全体構成を示す図である。（Ａ）は平面図、（Ｂ）は正面図、（Ｃ）は側面図である。
図１のガスメータ吊架ユニット１は、ガスメータ７を吊架し、入側配管５、ガスメータ入口２５、同出口２７、出側配管９及び１０を相互に連結するものである。そして、全体にはカバー３がかかっている。
【００１５】
ガスメータ吊架ユニット１は、大きく分けて、ガス栓１３と、入側部材１９と、固定金具４１と、出側部材３３とから構成されている。
ガス栓１３は、ガスメータ７へのガス供給を開閉する弁であり、ガスメータ７の側方左側に立ち上る入側配管５との接続口１１を有する。
入側部材１９は、ガス栓１３とガスメータ入口２５とを繋ぐ部材であり、全体としてエルボ形である。
出側部材３３は、ガスメータ出口２７と出側配管９、１０とを繋ぐ部材であり、全体としてエルボに３口チィーを接続した形の部材である。
固定金具４１は、入側部材１９と出側部材３３を連結して、建屋壁２等へ固定するための部材である。
【００１６】
以下、各部について詳しく説明する。
入側配管５は、各家庭や商店等の個別需要家毎にガスを供給する配管であって、フレキシブルなコルゲート管である。同配管５は、ガスメータ７の向かって左側に、ガスメータ吊架ユニット１に向けて立ち上がっている。同配管５の上端にはフレキ継手５ａが取り付けられている。
【００１７】
ガス栓１３は、ロック機構付の開閉弁（実開平６−５３８６６号等参照）であり、コック正面のツマミ１３ａをつまんで回すことにより開閉する。ガス栓１３の入側には、メネジを有する接続口１１が形成されている。ガス栓１３の出側１２には、フランジ１５が形成されている。このフランジ継手構造は薄くできるのでスペースを節約できる。また意外と加工部が少ないので安価である。ガス栓１３内で、ガス流路は上向きから右向きに９０°偏向する。前面のツマミ１３ａの横の符号１３ｂはロック機構部である。
【００１８】
入側部材１９は、エルボ形の部材であり、その中でガス流路は右向きから下向きに偏向する。入側部材１９の入側にはフランジ１７が形成されている。このフランジ１７とガス栓１３のフランジ１５とは、ビス１６によって締め付けられて連結されている。なお、フランジ間にはＯリング（図示されず）が挟み込まれており、ガスをシールしている。入側部材１９の上半分は、中心にガス流路を有するブロック状のものであり、その裏面は、図１（Ａ）に示されているように、固定金具４１の取り付け部４９に、ビス５０で固定されている。
【００１９】
入側部材１９の下半分は立下り管２１となって下方に垂下している。
図４は、立下り管及びユニオンの構造の詳細を示す断面図である。
立下り管２１の下端部はユニオン部２１ａとなっており、パッキン９３やユニオンナット２３、ストップリング９１が取り付けられている。ストップリング９１は、リング状をしており、ユニオンナット２３の落下防止用のものである。同ストップリング９１は、ユニオン部２１ａの外面に水平に切り込まれた円周溝２１ｂの中に入っている。なお、ストップリング９１は円周上に一カ所の切り欠き（図示されず）を有し、この切り欠きを拡げてやることにより、ユニオン部２１ａ外周に入れ、溝２１ｂに押し込むことができる。このようなストップリング９１の構造により、立下り管２１を入側部材１９と一体物（一部分）とすることができるので、加工費や組立工数を低減できる。なお、この実施例では入側部材１９はダクタイル鋳鉄である。
【００２０】
ユニオンナット２３は袋ナット状の構造をしており、その内面には、上部にストップリング係合部２３ａが、下部にメネジ２３ｂが形成されている。ストップリング係合部２３ａは、下拡がりテーパー状の円錐面であり、ストップリング９１の外周上面に当接して、ユニオンナット２３を支える。メネジ２３ｂは、ガスメータ入口２５の外周のオネジ２５ａと螺合する。なお、メネジ２３ｂの山の内径は、ストップリング９１の外径よりも大である。パッキン９３は、ユニオン部２１ａの先端部外周に嵌め込まれている。このパッキン９３の下面にはガスメータ入口２５の上端面が当接してガスがシールされる。なお、このユニオン構造は、ガスメータ出口部についても同じである。
【００２１】
図１に戻って、出側部材３３は、左半分のエルボ状部に右端部の３口チィー状部が接続されたものであり、本実施例では鋳鉄製である。この出側部材３３において、ガス流路は上向きから右向きに９０°偏向し、その後さらに９０°偏向して上下に分かれる。なお、試験口３５は、エアパージや圧力測定（気密試験）のような特別の場合にのみ開く口であって、通常はプラグ３５ａで閉じられている。出側部材３３の左下部（立下り管３１、ユニオン２９）の構造、及びエルボ部裏面の固定金具４１との固定部の構造は、入側部材１９と同様である。
【００２２】
出側部材３３の右端部の三口チィー部は、上下に開口するチィーのような形の上接続口３７と下接続口３９とを有し、さらに両口３７、３９の中間部に手前方向に開口する試験口３５を有する。試験口３５は前記のように通常はプラグ３５ａで閉まっている。上接続口３７には、フレキ継手１０ａを介して出側配管１０が接続され、下接続口３９には、フレキ継手９ａを介して出側配管９が接続される。下側の配管９は、ガスメータ７の右側を立ち下がる。両出側配管は、通常フレキシブルなコルゲート管である。
【００２３】
固定金具４１は、入側部材１９及び出側部材３３を連結して建屋壁２に固定するためのものである。本実施例では鋼板の曲げ加工品である。
図２は、図１のガスメータ吊架ユニットの固定金具４１の詳細を示す図である。（Ａ）は正面図、（Ｂ）は側面図である。
【００２４】
固定金具４１は、図２（Ｂ）に示されているように、上下両側の壁固定部４５、５３の中央部に、脚４７、５１と取り付け部４９からなる凸状部が張り出している形状をしている。取り付け部４９は、図２（Ａ）に示されているように、左右両側に張り出している。壁固定部４５、５３は、建屋壁２に当てる平板部であり、固定用のビス（図１の符号４６）を通すビス穴４５ａ、５３ａが４カ所横に並んで開けられている。
【００２５】
上の壁固定部４５の上端には、カバーフック４３が形成されている。カバーフック４３は、壁固定部４５よりも一段手前に浮き上がっており、その裏面と建屋壁との間に、カバーの奥上の上爪（図３の符号６１）を引っ掛けてカバーを取り付ける。下の壁固定部５３の下部にも、左右２カ所のカバーフック５５が形成されている。カバーフック５５は、壁固定部５３の一部に上向２本の切り込みを入れて、２本の切り込み間を手前に持ち上げたような形である。このカバーフック５５には、カバーの下奥の下爪（図３の符号７３）を引っ掛ける。
【００２６】
取り付け部４９の両端部４９ａ、４９ｃには、各々４カ所のビス穴４９ｂ、４９ｄが開けられている。図１（Ａ）に示されているように、左端部４９ａには、入側部材１９の裏面が当接してビス５０で固定されており、右端部４９ｃには、出側部材３３の裏面が当接してビス５０で固定されている。
【００２７】
図３は、図１のガスメータ吊架ユニットのカバー３の詳細を示す図である。（Ａ）は平面図、（Ｂ）は正面図、（Ｃ）は右側面図、（Ｄ）は左側面図、（Ｅ）はフタ取り付け部の詳細断面図である。
カバー３は、全体として横長の箱状をしており、本実施例ではプラスチック（ＡＥＳ）成形品である。カバー３の横断面は、図３（Ｃ）に示されているように、手前がやや下に傾斜した上面６５と、手前向きの垂直の前面６７と、前面６７の下縁から水平に奥に向かう底面７１を有する。カバー３の左右には、図３（Ｂ）に示されているように、各側面６６、６８が存在する。
【００２８】
上面６５及び下面７１の奥縁の中央部には、上爪６１及び下爪７３が各々形成されている。各爪は、カバー３の内側に曲がって突出している。上爪６１は、カバー３の横幅の約１／４ほどの広さで形成されており、下爪７３は、カバー３の横幅の約１／６ほどの幅の爪が左右端に２カ所形成されている。これらの爪６１、７３は、図２の固定金具のカバーフック４３、５５にそれぞれ係合して、カバー３の固定の作用をする。一般的には、上爪６１を上カバーフック４３に上から下に入れた後に、カバー３全体を弾性変形させて下爪７３を下カバーフック５５に下から入れる。なお、各爪６１、７３を外向きに形成し、固定金具のカバーフックを内向きに形成してもよい。
【００２９】
カバー３の上面６５及び下面７１の右端部には、Ｕ字形の開口６３が、各々形成されている。両開口６３は、各々、出側配管９、１０（図１）を通すためのものである。そして、上部開口６３には、フタ８４が入るようになっている。フタ８４は、図３（Ｅ）に示されているように、開口６３に形成されているフタ取り付け部８３の溝８１に入り込んで係止される。
【００３０】
カバー３の前面６７の左端部には、ガス栓操作穴８７が開口している。ガス栓操作穴８７は、円形の穴であり、図１（Ａ）、（Ｂ）に示されているように、そこからガス栓１３のツマミ１３ａが突出しており、ガス栓１３を開閉できる。ガス栓操作穴８７のすぐ右側には、封印用突起８５が突設されている。同突起８５は、板片状の突起であり、穴８５ａを有する。この穴８５ａと、ガス栓１３の封印用穴（ツマミ１３ａに開けられている）との間に針金と封印鉛でガス栓１３の封印を行うことができる。なお、このガス栓の封印は、ガス需要家が長期不在（空き家等）のときにガス供給を確実に遮断するための処置である。
【００３１】
カバー３の前面６７の右端部には、試験口カバー６９が前方に突出する出っ張り状に設けられている。この試験口カバー６９は、有底円筒状であり、図１（Ａ）に示されているように、中に試験口のプラグ３５ａが収まる。同プラグ３５ａは、試験口カバー６９によって隠されているので、同プラグ３５ａを開閉するためにはカバー３を取り外す必要がある。
【００３２】
図５は、本発明の他の１実施例に係るガスメータ吊架ユニット（π字部材型）を示す図である。（Ａ）は平面図、（Ｂ）は正面図、（Ｃ）は右側面図である。なお、図５において、符号の下２桁が図１の符号と同じ数字（例えば１２１と２１）の符号は、以下に特記するものを除いて同じ名称の部位を示す。
【００３３】
図５のガスメータ吊架ユニットの特徴は、ユニットがπ字部材１２０を基体として形成されている点である。
すなわち、ユニット１０１は、横方向に延びる横断部材１２０と、この横断部材１２０の左下及び右下に垂下する脚部材１２１、１３１とからなるπ字形の基本部材（π字部材１２０）を有する。そして、このπ字部材１２０は、固定金具１４１によって、建屋壁２に固定されている。具体的には、横断部材１２２の中央部の裏側に、図５（Ｃ）に示すように、固定金具１４１との取り付けビス１５０がセットされており、π字部材１２２が固定金具１４１に固定されている。
【００３４】
π字部材１２０の横断部材１２２の左右の端部と該端部寄りの脚部１２１及び１３１との間には、該端部及び該脚部の端面に開口するガスの連通路１１９ａ及び１３３ａが形成されている。当然のことではあるが、左右各々の連通路は相互には遮断されており、ガスが横断部材１２２内を短絡して流れることはない。
横断部材の１２２の左端には、フランジ接続により、ガス栓１３が接続されており、右端には試験口１３５が接続されている。また、ガス栓１３寄りの脚部１２１下端にはガスメータ入口接続用継手（ユニオン１２３）、試験口１３５寄りの脚部１３１下端にはガスメータ出口接続用継手（ユニオン１２９）が接続されている。
【００３５】
このようなπ字部材１２０を中心とする構成のため、図１の実施例のユニットよりも、左右の配管及びガスメータ出入口接続部の一体化が強固となり、頑丈かつ寸法精度をより向上できる。また、見た目もすっきりとして統制のとれた感じが出るため、カバーを無くすこともできる。なお、本実施例においては、π字部材はアルミダイカスト製であり、横断部材１２２の中央部には、肉盗み穴１２２ａを形成して重量の低減を図っている。
【００３６】
図５の実施例においても、ガス栓１３は、横断部材１２２の一端にフランジ１１７により接続されているが、その利点は上述の通りである。
また、試験口１３５が横断部材１２２の一端に一体に形成されているが、その利点は上述の通りである。
入側配管５及びガス栓１３は、図１の実施例と同じものである。なお、ガス栓１３の封印用の突起は、π字部材１２０の入側部１１９の正面に突設（突起１１８）されている。
左右の立下り管（脚部）１２１、１３１とユニオン１２３、１２９の接続部の構造も図１の実施例のユニットと同じである。
出側配管９、１０及びその接続口１３９、１３７、並びに試験口１３５周辺の構造も、図１の実施例のユニットと同じである。
【００３７】
本発明のガスメータ吊架ユニットにおいては、次のような変形を加えることもできる。
▲１▼  出側部の検査口を側方横向きに取り付ける。
▲２▼  分岐用の継手を設けて、出側配管を２本共に下向けとする。
【００３８】
【発明の効果】
以上の説明から明らかなように、本発明のガスメータ吊架ユニットは、ガスメータの取り付けスペースを小さくすることができるとともに、取り付け作業を簡易化できる。さらには、それらの利点を備えるとともに安価で見栄えの良いガスメータ吊架ユニットを提供できる。
特に、ユニットを覆うカバーを設けた場合には、防塵、美感向上、内部部材表面処理の簡略化等の効果がある。
【００３９】
ユニオン部にスナップリング式のストップリングを有する場合には、さらに加工工数及び組立工数を低減することができる。
また、ガス栓をフランジ接続式とする場合には、ガスメータ吊架ユニット全体の横幅をより狭くできる。
試験口を出側部と一体とする場合には、別途のチィー（プラグ付き）とするよりもガスメータ吊架ユニットを小型化できる。また、継手の接続箇所を減らし、さらに組立工数の低減を図ることができる。
π字部材を有する態様にあっては、ガスメータ吊架ユニットの構造を強固かつ単純な形にすることができ、組立工数減等を図れる。また、外観上もすっきりしたものとなる。
【図面の簡単な説明】
【図１】本発明の１実施例に係るガスメータ吊架ユニットの全体構成を示す図である。（Ａ）は平面図、（Ｂ）は正面図、（Ｃ）は側面図である。
【図２】図１のガスメータ吊架ユニットの固定金具４１の詳細を示す図である。（Ａ）は正面図、（Ｂ）は側面図である。
【図３】図１のガスメータ吊架ユニットのカバー３の詳細を示す図である。（Ａ）は平面図、（Ｂ）は正面図、（Ｃ）は右側面図、（Ｄ）は左側面図、（Ｅ）はフタ取り付け部の詳細断面図である。
【図４】立下り管及びユニオンの構造の詳細を示す断面図である。
【図５】本発明の他の１実施例に係るガスメータ吊架ユニット（π字部材型）を示す図である。（Ａ）は平面図、（Ｂ）は正面図、（Ｃ）は右側面図である。
【図６】都市ガスのガスメータの標準的な設置例を示す図である。（Ａ）は正面図、（Ｂ）は側面図である。
【符号の説明】
１  吊架ユニット                  ２  建屋壁
３  カバー                        ５  入側配管
５ａ  フレキ継手                  ７  ガスメータ
９、１０  出側配管
９ａ、１０ａ  フレキ継手        １１  入側接続口
１３  ガス栓                      １３ａ  ツマミ
１３ｂ  ロック機構
１５  フランジ
１６  ビス                        １７  フランジ
１９  入側部材（エルボ）          ２１  立下り管
２１ａ  ユニオン部                ２１ｂ  円周溝
２２  ガスメータ入側接続部        ２３  ユニオンナット
２３ａ  ストップリング係合部      ２３ｂ  メネジ
２５  ガスメータ入口              ２５ａ  オネジ
２７  ガスメータ出口              ２９  ユニオンナット
３０  ガスメータ出側接続部        ３１  立下り管
３３  出側部材（エルボ）          ３５  試験口
３５ａ  試験口（プラグ）          ３７  上接続口
３９  下接続口                    ４１  固定金具
４３  カバーフック上              ４５  壁固定部
４６  ビス                        ４７  脚
４９  取り付け部                  ５０  ビス
５１  脚                          ５２  ビス
５３  壁固定部                    ５５  カバーフック下
６１  上爪                        ６３  開口
６５  上面                        ６６  左側面
６７  前面                        ６８  右側面
６９  試験口カバー                ７１  下面
７３  下爪                        ８１  溝
８３  蓋取り付け部                ８４  フタ
８５  封印用突起                  ８５ａ  穴
８７  ガス栓操作穴                ９１  ストップリング
９３  パッキン                  １２０  π字部材
１２２  横断部材                  １２１、１３１  脚部
２８１  入側接続管
２９１  出側接続管                ２９７  配管サポート
【図１】
0003720139.tif 000002
【図２】
0003720139.tif 000003
【図３】
0003720139.tif 000004
【図４】
0003720139.tif 000005
【図５】
0003720139.tif 000006
【図６】
0003720139.tif 000007